(57)【要約】【課題】  ジョブ実行後のログアウトのし忘れ、タイムアウトが経過するまで間に、次のユーザが前ユーザのＩＤのまま、且つ、前のユーザのモード設定のままジョブを実行することができてしまう。【解決手段】  ＩＣカードから認証情報を読み取り、前記ユーザ登録手段によって、予め登録された前記ユーザとを比較し、ユーザのログイン・ログアウトの認証を行う場合に、認証されたユーザを記憶しておき、その後のユーザのログイン認証の際に、ログイン認証を行ったユーザが前回認証されたユーザと同じか否かを判断し、異なると判断した場合には、モード設定のクリアを行い、同じユーザであると判断した場合は、モード設定のクリアを行わないように制御する。【選択図】  図２
2010003131.tif 000002
【特許請求の範囲】
【請求項１】
画像形成装置であって、
認証情報が記録されているＩＣカードと、
ＩＣカード内に記録されている情報を読み取るためのＩＣカードリーダと、
予め前記ＩＣカードを前記画像形成装置のユーザとして登録するユーザ登録手段と、
前記ＩＣカードリーダを介してＩＣカードから認証情報を読み取り、前記ユーザ登録手段によって、予め登録された前記ユーザとを比較し、前記画像形成装置の使用可否を判断してログインの認証を行う認証手段と、
前記認証手段によって、認証されたユーザを記憶する記憶手段と、
前記認証手段によるログイン認証の際に、前記記憶手段によって記憶された前回、画像形成装置を使用していたユーザと同じか否かを判断する判断手段と、
前記判断手段によって、異なるユーザの場合には、モード設定のクリアを行い、同じユーザの場合は、モード設定のクリアを行わないように制御するクリア手段とを有すること特徴とする画像形成装置。
【請求項２】
前記判断手段によって、同じユーザの場合、モード設定をクリアするか否かの設定を保持する保持手段と、
前記クリア手段は、前記判断手段によって、同じユーザの場合、前記保持手段によって保持された設定に応じて、モード設定をクリアすることを特徴とする請求項１に記載の画像形成装置。
【請求項３】
前記認証手段によるログイン後、１ジョブの実行後にログアウトすることを特徴とする請求項１または請求項２に記載の画像形成装置。
【請求項４】
前記認証手段によるログイン後、１ジョブの実行後にログアウトするか否かの設定を登録する登録手段と、
前記認証手段によるログイン後に、前記登録手段に登録された設定に応じて、１ジョブの実行後にログアウトの制御をする前記認証手段とを有することを特徴とする請求項１乃至請求項３のいずれかに記載の画像形成装置。
【発明の詳細な説明】
【技術分野】
【０００１】
本発明は、非接触型のＩＣカードを用いてログイン認証処理を実行する画像形成装置に関するものである。
【背景技術】
【０００２】
従来、非接触型のＩＣカードを用いてログイン認証処理を実行するものとしては、装置の機能制限を行う技術が一般的であった。
【０００３】
機能制限を行う技術としては、例えば、ＩＣカードが挿入されるとコピー部数のみを設定でき、他の設定項目については、グレー表示にするなどして設定できないように処理を実行するものであった。（例えば、特許文献１参照）
また、ＩＣカードを利用した認証システムにおいて、ログアウトして一定時間経過した場合、いち早く抜き忘れをユーザが察知できるように処理を実行するものがあった。（例えば、特許文献２参照）
【特許文献１】特開２００５−３３２０７２号公報
【特許文献２】特開２００６−２１５７７０号公報
【発明の開示】
【発明が解決しようとする課題】
【０００４】
上述した従来の技術の場合、ログイン認証処理を実行するためにユーザがログイン後、一時的にその場を離れた後、戻ってきたときに、タイムアウトによるログアウト実行によって、先に設定していたモードがクリアされる。それによってセキュリティを高めることができる。しかし、ジョブ実行後のログアウトのし忘れ、タイムアウトが経過するまで間に、次のユーザが前ユーザのＩＤのまま、且つ、前のユーザのモード設定のままジョブを実行することができてしまう。
【課題を解決するための手段】
【０００５】
上述した課題を解決するために、本発明に係る画像形成装置は、認証情報が記録されているＩＣカードと、ＩＣカード内に記録されている情報を読み取るためのＩＣカードリーダと、予め前記ＩＣカードを前記画像形成装置のユーザとして登録するユーザ登録手段と、前記ＩＣカードリーダを介してＩＣカードから認証情報を読み取り、前記ユーザ登録手段によって、予め登録された前記ユーザとを比較し、前記画像形成装置の使用可否を判断してログインの認証を行う認証手段と、前記認証手段によって、認証されたユーザを記憶する記憶手段と、前記認証手段によるログイン認証の際に、前記記憶手段によって記憶された前回、画像形成装置を使用していたユーザと同じか否かを判断する判断手段と、前記判断手段によって、異なるユーザの場合には、モード設定のクリアを行い、同じユーザの場合は、モード設定のクリアを行わないように制御するクリア手段とを有すること特徴とする。
【発明の効果】
【０００６】
上記、本発明に係る画像形成装置によれば、ユーザが、前にログインしていたユーザと同じであるか否かによって、モード設定をクリアするか否かを決定し、ユーザの利便性を向上させることができる。
【発明を実施するための最良の形態】
【０００７】
次に、本発明の詳細を実施例の記述に従って説明する。
【実施例１】
【０００８】
以下に図面を参照しながら、本発明に係わる実施の形態を詳細に説明する。本実施形態では画像形成装置としてファクシミリ装置を例に説明するが、本発明はこれに限定されるものではない。
【０００９】
図１は、実施形態におけるファクシミリ装置１００の構成を示すブロック図である。
【００１０】
同図において、１０１は、ＣＰＵでシステム制御部であり、装置全体を制御する。
【００１１】
１０２は、ＲＯＭであり、ＣＰＵの制御プログラムを格納するものである。
【００１２】
１０３は、ＲＡＭであり、ＳＲＡＭ等で構成され、プログラム制御変数等を格納するためのものである。また、オペレータが設定した回線選択方法や各種設定値、装置の管理データ類、各種ワーク用バッファもＲＡＭ１０３に格納されるものである。
【００１３】
１０４は、蓄積メモリであり、ＤＲＡＭ等で構成され、画像データを蓄積するものである。
【００１４】
１０５は、外部表示部であり、ＬＣＤ、ＬＥＤ等でユーザに表示通知するためのものである。
【００１５】
１０６は、操作部であり、キーボード、タッチパネル等で構成され、画面を表示したり、オペレータから各種入力操作を受付けたりするためのものである。
【００１６】
１０７は、スピーカであり、音声によってユーザに通知、警告をしたり、後述する通信回線１１５を通して送受している信号音をモニターしたりするものである。
【００１７】
１０８は、画像処理部であり、読み取られた画像データに補正処理を施して高精細な画像データを出力するものである。
【００１８】
１０９は、スキャナであり、ＣＳイメージセンサ、原稿搬送機構などで構成され、原稿を光学的に読み取って電気的な画像データに変換するものである。
【００１９】
１１０は、プリンタフォーマッタであり、例えば、ワークステーションなどからのファイルデータのプリントを行う際に、プリンタ記述言語を解析し、画像データに変換するものである。
【００２０】
１１１は、記録部であり、受信画像やファイルデータを記録紙に記録する装置である。
【００２１】
１１２は、ＭＯＤＥＭであり、ＦＡＸ送受信信号の変復調をおこなうものである。
【００２２】
１１３は、ＮＣＵであり選択信号（ダイヤルパルス、または、トーンダイヤラ）を１１４である通信回線制御部を介して通信回線１１５に送出する機能を有し、呼び出し音の検出による自動着信も行う。
【００２３】
１１５は、通信回線であり、具体的には一般公衆回線網（ＰＳＴＮ，ＩＳＤＮ回線等）である。
【００２４】
１１６は、ネットワークＩ／Ｆであり、後述するＬＡＮに接続されたパソコンやホストコンピュータと本実施形態におけるＦＡＸ装置のインターフェースである。このインターフェースにより、例えば、パソコンからのプリントや本実施形態におけるＦＡＸ装置からパソコンへ原稿画像を送信することができる。
【００２５】
１１７は、ＬＡＮ（ローカルエリアネットワーク網）であり、本実施形態におけるファクシミリ装置と同様に、パソコン、複写機、プリンタなどが接続されている。
【００２６】
１１８は、ＩＣカードリーダＩ／Ｆであり、ＩＣカード内に記録されている情報を読み取るためのＩＣカードリーダと、無線で通信を行うためのインターフェースである、
次に、図２を用いて、以上に構成される画像形成装置１００において本発明に係わる処理手順を説明する。図２のフローチャートに示す各ステップは、ＣＰＵ１０１が、ＲＯＭ１０２に記憶された制御プログラムを読出して実行することによって行われる。
【００２７】
まず、画像形成装置１００の電源の起動後、Ｓ１で、ＣＰＵ１０１は、ＩＣカードのログイン画面を操作部１０６に表示する。そして、Ｓ２に移行する。Ｓ２で、ＣＰＵ１０１は、ＩＣカードリーダＩ／Ｆ１１８にＩＣカードがかざされたか否かを判断する。ＩＣカードがかざされたらＳ３に移行する。ＩＣカードがかざされていなければ、ＩＣカードがかざさされるまで待つ。
【００２８】
Ｓ３では、ＣＰＵ１０１は、ＩＣカードリーダＩ／Ｆ１１８からＩＤ（認証情報）を読み取り、予めＲＡＭ１０３などの記憶部にユーザ登録されたユーザのＩＤ（認証情報）と比較し、比較結果に基づいて認証がＯＫ（成功した）か否かを判断する。言い換えると、ＣＰＵ１０１は、ユーザのログイン認証の際に、画像形成装置１００の使用可否を判断する。認証がＯＫであれば、Ｓ４に移行し、認証がＮＧであればＳ２に戻る。Ｓ４で、ＣＰＵ１０１は、前回、ログインしていたユーザと一致しているか否かを判断する。一致していれば、Ｓ５に移行する。不一致であればＳ６に移行する。
【００２９】
Ｓ５で、ＣＰＵ１０１は、コピーモードや送信モードなどのモード設定をクリアするか否かを、ユーザにより設定された情報を予め保持しておき、保持された情報に基づいて判断する。モード設定のクリアであれば、Ｓ６に移行し、そうでなければＳ７に移行する。
【００３０】
Ｓ６で、ＣＰＵ１０１は、コピーモードや送信モードなどのモード設定をクリアし、Ｓ７に移行する。Ｓ７では、コピーや送信、スキャン、メディアからのプリントなどのファンクションを選択するためのファウンクション画面を表示する。そして、Ｓ８に移行する。
【００３１】
Ｓ８で、ＣＰＵ１０１は、コピーが選択されたか否かを判断する。コピーが選択された場合は、Ｓ９に移行し、選択されていなければ、Ｓ１６に移行する。Ｓ９で、ＣＰＵ１０１は、コピー画面を表示しＳ１０に移行する。Ｓ１０で、ＣＰＵ１０１は、ユーザから受付けた指示に従って、コピー部数や濃度などを設定するコピーモード設定処理を行い、設定処理が終わればＳ１１に移行する。
【００３２】
Ｓ１１で、ＣＰＵ１０１は、操作部１０６を介してジョブスタートの指示がなされたかを判断する。ジョブスタートであれば、Ｓ１２に移行し、ジョブスタートでなければ、Ｓ１０に戻る。Ｓ１２では、スキャナ１０９によって原稿を読み取り、Ｓ１３に移行する。Ｓ１３では、Ｓ１２で読み取った原稿を記録部１１１によって記録する。そして、Ｓ１４に移行する。
【００３３】
Ｓ１４で、ＣＰＵ１０１は、ジョブが終了したかを、予めユーザによってなされている設定に基づいて判断する。ジョブが終了していればＳ１５に移行し、ジョブが終了でなければ、Ｓ１２に戻る。Ｓ１５で、ＣＰＵ１０１は、１ジョブ毎にログアウトするか否かを判断し、ログアウトであれば、Ｓ１に戻る。ログアウトでなければ、Ｓ１０に戻る。
【００３４】
一方、Ｓ８からＳ１６に移行した場合、ＣＰＵ１０１は、Ｓ１６で、送信が選択されたか否かを判断する。送信が選択された場合は、Ｓ１７に移行し、選択されていなければ、Ｓ２４に移行する。
【００３５】
Ｓ１７で、ＣＰＵ１０１は、送信画面を表示しＳ１８に移行する。Ｓ１８では、送信先や解像度などを設定する送信モード設定処理を行い、設定が終わればＳ１９に移行する。Ｓ１９で、ＣＰＵ１０１は、操作部１０６を介してジョブスタートがなされたかを判断する。ジョブスタートの指示がなされていれば、Ｓ２０に移行し、ジョブスタートの指示がなされていなければ、Ｓ１８に戻る。Ｓ２０で、ＣＰＵ１０１は、スキャナ１０９によって原稿を読み取りＳ２１に移行する。Ｓ２１で、ＣＣＰＵ１０１は、Ｓ２０で読み取った原稿を、例えば、ネットワークＩ／Ｆ１１６を介して外部に送信する。そして、Ｓ２２に移行する。Ｓ２２で、ＣＰＵ１０１は、ジョブが終了したかを判断する。ジョブが終了していればＳ２３に移行し、ジョブが終了していなければ、Ｓ２０に戻る。Ｓ２３では、１ジョブの実行毎にログアウトするか否かを判断し、ログアウトであれば、Ｓ１に戻る。ログアウトでなければ、Ｓ１８に戻る。
【００３６】
また、Ｓ１６からＳ２４に移行した場合、Ｓ２４で、ＣＰＵ１０１は、スキャンが選択されたか否かを判断する。スキャンが選択された場合は、Ｓ２５に移行し、選択されていなければ、Ｓ３２に移行する。Ｓ２５で、ＣＰＵ１０１は、操作部１０６にスキャン画面を表示しＳ２６に移行する。Ｓ２６で、ＣＰＵ１０１は、スキャン先や解像度などを設定するスキャンモード設定処理を行い、設定が終わればＳ２７に移行する。Ｓ２７で、ＣＰＵ１０１は、ジョブスタート指示がなされたかを判断する。ジョブスタート指示がなされていれば、Ｓ２８に移行し、ジョブスタートでなければ、Ｓ２６に戻る。Ｓ２８で、ＣＰＵ１０１は、スキャナ１０９によって原稿を読み取りＳ２９に移行する。Ｓ２９で、ＣＰＵ１０１は、Ｓ２８で読み取った原稿を蓄積メモリ１０４のようなメディアに保存する。そして、Ｓ３０に移行する。Ｓ３０で、ＣＰＵ１０１は、ジョブが終了したかを判断する。ジョブが終了していればＳ３１に移行し、ジョブが終了でなければ、Ｓ２８に戻る。Ｓ３１で、ＣＰＵ１０１は、１ジョブの実行後にログアウトするか否かを判断し、ログアウトであれば、Ｓ１に戻る。ログアウトでなければ、Ｓ２６に戻る。
【００３７】
また、Ｓ２４からＳ３２に移行した場合、ＣＰＵ１０１は、メディアからのプリントが選択されたと判断し、メディアからのプリント画面を表示しＳ３３に移行する。Ｓ３３で、ＣＰＵ１０１は、部数や解像度などを設定するメディアプリントモード設定処理を行い、設定が終わればＳ３４に移行する。Ｓ３４で、ＣＰＵ１０１は、操作部１０６からジョブスタートの指示がなされたか否かを判断する。ジョブスタートの指示がなされていれば、Ｓ３５に移行し、ジョブスタートの指示がなされていなければ、Ｓ３３に戻る。Ｓ３５で、ＣＰＵ１０１は、メディアからファイルを読み出しＳ３６に移行する。Ｓ３６で、ＣＰＵ１０１は、Ｓ３５で読み出したファイルのデータを記録部１１１によって記録する。そして、Ｓ３７に移行する。Ｓ３７で、ＣＰＵ１０１は、ジョブが終了したかを判断する。ジョブが終了していればＳ３８に移行し、ジョブが終了していれば、Ｓ３５に戻る。Ｓ３８で、ＣＰＵ１０１は、１ジョブ後にログアウトするか否かを判断し、ログアウトすると判断した場合、Ｓ１に戻る。ログアウトでなければ、Ｓ３３に戻る。
【００３８】
また、ログイン後のＳ７からＳ３８の処理中に、ログアウト要求(例えばＩＤキーが押下された／ＩＤカードがかざされた／タイムアウトなど)が発生した場合、ＣＰＵ１０１は、ユーザを画像形成装置１００からログアウトさせる。そして、Ｓ１に移行する。
【００３９】
尚、本発明は、複数の機器（例えば、ホストコンピュータ、インターフェース機器、リーダ、プリンタなど）からなるシステムに適用しても、一つの機器からなる画像形成装置（例えば、複写機、ＦＡＸ装置など）に適用してもよい。
【００４０】
また、本発明の目的は前述した実施形態を実現するソフトウエアのプログラムコードを記憶した記憶媒体を、システム或いは装置に供給する。そして、そのシステム或いは装置のコンピュータ（ＣＰＵ若しくはＭＰＵ）が記憶媒体に格納されたプログラムコードを読出しすることによって達成される。
【００４１】
この場合、記憶媒体から読出されたプログラムコード自体が前述実施形態の機能を実施することになり、そのプログラムコードを記憶した記憶媒体は、本発明を構成することになる。
【００４２】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００４３】
また、コンピュータが読出したプログラムコードを実行することにより、前述した実施形態の機能が実現されるだけでない。そのプログラムコードの指示に基づき、コンピュータ上で稼動しているＯＳなどが実際の処理の一部又は全部を行うことよって前述した実施形態の機能が実現される場合も含まれる。
【００４４】
更に、記憶媒体から読出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵなどが実際の一部又は全部を行い、その処理によって前述した実施形態の機能が実現される場合も含まれる。
【図面の簡単な説明】
【００４５】
【図１】本発明の実施形態に係る画像形成装置のブロック構成を示す図である。
【図２】本発明の実施形態に係る画像形成装置における処理手順を示すフローチャートである。
【符号の説明】
【００４６】
１０１  ＣＰＵ
１０２  ＲＯＭ
１０３  ＲＡＭ
１０４  蓄積メモリ
１０５  外部表示部
１０６  操作部
１０８  画像処理部
１０９  スキャナ
１１８  ＩＣカードリーダＩ／Ｆ
【図１】
2010003131.tif 000003
【図２】
2010003131.tif 000004